(57)【要約】本発明は、リライタブル材料を有する第１の領域（１２）を有するデータ担体であって、第１の領域は、消去不可能な方法でそのデータ担体上に記録されるタイプ情報によって読出し専用領域として決定されるデータ担体に係る。
2006520980.tif 000002
【特許請求の範囲】
【請求項１】
リライタブル材料を有する第１の領域を有するデータ担体であって、
前記第１の領域は、消去不可能な方法で前記データ担体上に記録されるタイプ情報によって読出し専用領域として決定されるデータ担体。
【請求項２】
前記データ担体は更に、リライタブル材料を有する第２の領域を有し、
前記第１の領域及び前記第２の領域は、前記データ担体の同じ層の一部である請求項１記載のデータ担体。
【請求項３】
前記データ担体は、中央部分を有し、
前記第１の領域は、前記第２の領域より前記中央部分に近い請求項２記載のデータ担体。
【請求項４】
前記データ担体は、ピット及びランドによって記録される前記タイプ情報を有するタイプ領域を有する請求項１記載のデータ担体。
【請求項５】
前記タイプ情報は、周波数変調ウォブルによって記録される請求項１記載のデータ担体。
【請求項６】
請求項５に記載されるリライタブルコンパクトディスクであって、
前記ディスクは、リードイン領域を有し、
前記タイプ情報は、前記リードイン領域においてＡＴＩＰデータとして符号化される、ディスク。
【請求項７】
請求項５に記載されるブルーレイディスクであって、
前記タイプ情報は、永久情報及び制御データとして符号化される、ディスク。
【発明の詳細な説明】
【技術分野】
【０００１】
本発明は、リライタブル材料を有するデータ担体に係る。
【０００２】
本発明は特に、光学データ記憶装置、及び、特に携帯可能装置である、記録可能ディスク上にデータを記録する光ディスク機器に関連する。
【背景技術】
【０００３】
光学記憶装置には、３つのタイプのデータ担体が存在する。読出し専用データ担体（以下ＲＯＭデータ担体と称する。ＲＯＭは、Ｒｅａｄ  Ｏｎｌｙ  Ｍｅｍｏｒｙを表す）は、ユーザによって読出しすることだけが可能である。このようなＲＯＭデータ担体は、通常、スタンパによって形成されるピットとランドを有する。製造業者がユーザにＲＯＭコンテンツを提供したい場合、このコンテンツのためのスタンパが製造されなければならない。これは、製造するのが困難であり、また、このスタンパを用いて作成されるデータ担体数が低い場合は特に高価である。データ担体数は、コンテンツが早く変わる、例えば、毎月変わる場合に高価である。スタンパの使用を回避するために、ユーザにＲＯＭコンテンツを提供したい製造業者は、ライトワンスデータ担体（以下ＷＯＲＭデータ担体と称する。ＷＯＲＭは、Ｗｒｉｔｅ  Ｏｎｃｅ  Ｒｅａｄ  Ｍａｎｙを表す）を使用することが可能である。このようなＷＯＲＭデータ担体は、ＷＯＲＭ材料を有し、この材料は、ピットパターンを書込むために光ビームによって劣化されることが可能であり、また、提供コンテンツを有する。このようなＷＯＲＭデータ担体の欠点は、コンテンツが一度データ担体上に記録されると、このコンテンツは変更することができないという事実にある。その結果、エラーが書込み時に発生するか、又は、コンテンツがユーザに提供する直前に古くなってしまった場合に、製造業者は書込みされたコンテンツを変更することができずに、データ担体を廃棄しなければならなくなる。更に、ＷＯＲＭデータ担体の場合、製造業者が、ＲＯＭコンテンツと同時にユーザが自分のデータを記録するために使用可能であるリライタブル領域をデータ担体上に提供することが困難である。実際には、ＷＯＲＭ材料とＲＷ材料を有するデータ担体を製造することは困難であり、これは、特に、同じ材料をＷＯＲＭ及びＲＷに使用することができないことによる。
【０００４】
これらの欠点を回避するために、解決策は、リライタブルデータ担体（以下ＲＷデータ担体と称する）を用いることにある。このようなＲＷデータ担体は、通常、相変化光記録材料を有する。光ビームによって相変化光記録材料上に書込むことは、結晶相及び非結晶相間、又は、２つの異なる結晶相間の変化に基づいている。従って、データが記録材料上に書込みされ、光ビームによって容易に消去され、そして、再度書込みされることが可能である。製造業者が、ユーザにＲＯＭコンテンツを提供したい場合、製造業者は、データ担体の少なくとも一部分をＲＯＭ領域として決定することが可能である。特許文献１は、ＲＷ領域とＲＯＭ領域を有するディスクを記載し、一部のＲＯＭ領域は、ＲＯＭ領域として決定されたＲＷ領域である。
【０００５】
この特許では、領域のタイプ、即ち、ＲＷ又はＲＯＭは、記録領域の中に記録されたフラグによって決定される。付加価値再販業者といった供給者が、交通情報といったデータを、ユーザに対してＲＯＭ領域として提供されることを望む領域に記録すると、供給者は、この領域を識別するフラグをＲＯＭタイプに相当する値に設定する。次に、ユーザが、レコーダによってこのデータ担体上にデータを記録することを所望する場合に、フラグがレコーダによって読み出され、従って、レコーダは、このＲＯＭとして決定された領域にはデータを記録することができないという指示を受け取る。
【０００６】
しかし、このようなデータ担体の欠点は、容易にハッキング可能であるという事実にある。実際に、ハッカーは、自分のレコーダのファームウェアを変更し、それにより、データ担体のフラグが読出しされないようにすることが可能である。この場合、ハッカーは、フラグを含むデータ担体上に書込みされた全てのデータを消去することができる。というのは、フラグは、ＲＷ領域内に書込みされているからである。次に、ハッカーは、他のユーザにハッキングされたデータ担体を分配することが可能であり、これらの他のユーザは、ＲＯＭ領域を識別するフラグが消去されているので、ハッキングされたデータ担体を従来のＲＷデータ担体として使用することが可能となる。
【特許文献１】米国特許第５，３２３，３８０号
【発明の開示】
【発明が解決しようとする課題】
【０００７】
本発明は、上述した問題が解消されるデータ担体を提供することを目的とする。
【課題を解決するための手段】
【０００８】
このために、本発明は、リライタブル材料を有する第１の領域を有するデータ担体であって、第１の領域は、消去不可能な方法でデータ担体上に記録されるタイプ情報によって読出し専用領域として決定されるデータ担体を提案する。
【０００９】
本発明では、領域は、光ビームによって消去することのできないタイプ情報によってＲＯＭ領域として決定される。その結果、ＲＯＭ領域として決定される領域は、変更されたファームウェアを有するレコーダを有するハッカーによって消去されてしまい得る。このレコーダは、タイプ情報を読出しすることなくデータを消去することが可能である。しかし、この場合、そのようなハッキングされたデータ担体をハッカーから受け取ったユーザは、そのデータ担体を従来型のＲＷデータ担体として従来型のレコーダ上に用いることはできない。何故なら、タイプ情報は消去されていないので、製造業者によってＲＯＭ領域として決定された領域は、依然としてＲＯＭ領域と決定されるからである。
【００１０】
１つの有利な実施例では、データ担体は更に、リライタブル材料を有する第２の領域を有し、第１の領域及び第２の領域は、データ担体の同じ層の一部である。この実施例では、層全体に同じＲＷ材料を有し、また、ＲＯＭ領域及びＲＷ領域を有する単層データ担体を製造することができる。このようなデータ担体の製造は容易であり、また、供給者にとって特に有利である。実際に、供給者は、ＲＯＭコンテンツをユーザに提供することができ、このＲＯＭコンテンツは、例えば、広告を有する。ユーザはこのようなデータ担体を入手することに特に関心を持つであろう。何故なら、このデータ担体は、ユーザの自分のデータを記録することのできる領域を有するからである。このようなデータ担体は、データ記録内に記録される広告によって、無料か又は低い価格で流通され得る。このことはより一層ユーザの関心を引くであろう。更に、このデータ担体はハッキングされることができないので、供給者は、データ担体を低い価格で流通することを躊躇しないであろう。
【００１１】
データ担体は、中央部分を有し、第１の領域は、第２の領域より中央部分に近いことが好適である。このようにすると、ユーザは、利用可能なパワーが比較的低い携帯可能装置であってもデータ担体上にデータを記録することが可能である。実際に、光学ディスクでは、所与の記録速度、即ち、所与の線形記録速度では、ディスクの外側領域への書込みは、ディスクの内側領域への書込みより低いディスクの回転速度を必要とする。従って、ユーザが、携帯可能な装置で第２の領域にデータを書込むことを所望する場合、必要なパワー量は、ディスクの内側領域に位置付けられる第２の領域よりディスクの外側領域に位置付けられる第２の領域でのほうが少ない。
【００１２】
１つの好適な実施例では、データ担体は、ピット及びランドによって記録されるタイプ情報を有するタイプ領域を有する。この実施例では、タイプ情報は、製造業者によってデータ担体上にＲＯＭコンテンツが書込みされた後に書込みされることが可能である。例えば、タイプ領域は、ＷＯＲＭ材料を有し、この材料は、タイプ情報を書込みするために光りビームによって劣化される。従って、製造業者は、ＲＯＭコンテンツを従来型のレコーダを用いて書込みすることが可能である。何故なら、ＲＯＭコンテンツを書込みするときに、このＲＯＭコンテンツが書込みされる領域は、ＲＯＭ領域としてまだ決定されていないからである。或いは、タイプ情報は、タイプ領域においてスタンパによって書込みされる。この場合、タイプ情報は、製造業者によってデータ担体内にＲＯＭコンテンツが書込みされる前に記録されることが好適である。
【００１３】
より好適な実施例では、タイプ情報は、周波数変調ウォブルによって記録される。ＲＷディスクは、蛇行したグルーブを有し、このグルーブは、トラッキングに使用される。周波数変調されたウォブルは、タイミング又はトラックのアドレス情報といった情報を有する。蛇行したグルーブは、光ビームによって消去することができないので、この蛇行したグルーブは、タイプ情報を書込みするために使用することが可能である。ディスク上に蛇行したグルーブをプリントする前に、製造業者は、タイプ情報をウォブル内に追加し、それにより、タイプ情報が、ウォブル内にあるタイミング又はアドレス情報と同様に、レコーダによって取出しされることが可能であるようにする。例えば、リライタブルコンパクトディスク（以下、ＣＤ−ＲＷと称する）の場合、タイプ情報は、ＡＴＩＰ（Ａｂｓｏｌｕｔｅ  Ｔｉｍｅ  Ｉｎ  Ｐｒｅ−ｇｒｏｏｖｅ）としてＣＤ−ＲＷのリードイン領域内に符号化されることが可能である。ブルーレイディスク（以下、ＢＤと称する）の場合、タイプ情報は、永久情報及び制御データとして符号化されることが可能である。リライタブルデジタルバーサタイルディスク（ＤＶＤ＋ＲＷ）の場合、タイプ情報は、ＤＶＤ＋ＲＷのリードイン領域内にＡＤＩＰ（Ａｄｄｒｅｓｓ  Ｉｎ  ｐｒｅ−Ｇｒｏｏｖｅ）情報として符号化されることが可能である。
【発明を実施するための最良の形態】
【００１４】
本発明の上述した面及び他の面は、以下に説明する実施例から明らかとなり、また、これらの実施例を参照することによって例示的に説明する。
【００１５】
本発明を、添付図面を参照しながら例を用いてより詳細に説明する。
【００１６】
図１に、本発明のデータ担体を示す。本発明のデータ担体は、中心孔１０と、タイプ領域１１と、第１の領域１２と、第２の領域１３を有する。第１の領域１２及び第２の領域１３は、同じＲＷ材料を有する。
【００１７】
しかし、本発明は、第１の領域１２及び第２の領域１３における同じＲＷ材料の使用に制限されない。例えば、様々な記録速度での書込みに適した様々な熱特性を有する様々な記録材料を用いることが可能である。例えば、以下に説明するようにＲＯＭ領域として決定される第１の領域１２は、比較的速い記録速度での書込みに適したＲＷ材料を有し得る。一方で、第２の領域１３は、比較的遅い記録速度での記録に適したＲＷ材料を有し得る。実際には、比較的速い記録速度での書込みは、比較的大量のパワーを必要とする。第１の領域１２は、製造業者によって、主供給源によってパワーが与えられるレコーダによって記録されるので、利用可能なパワー量は比較的大きく、従って、第１の領域１２は、比較的速い記録速度で記録可能である。しかし、比較的遅い記録速度での書込みは、低量のパワーを必要とする。従って、ユーザは、レコーダにおいて利用可能なパワーが比較的低い場合であっても、第２の領域１３にデータを記録することが可能である。利用可能なパワーが比較的低い場合は、例えば、電池によりパワー供給される携帯可能な装置の場合である。
【００１８】
第１の領域１２及び第２の領域１３において同じＲＷ材料を用いることは、データ担体の製造を容易にする。実際に、図１に示すデータ担体は、ＣＤ−ＲＷの製造に使用される技術といった従来技術を用いて製造されることが可能である。
【００１９】
図１のデータ担体では、第１の領域１２がＲＯＭ領域として決定されることを示すタイプ情報は、タイプ領域１１内に書込みされる。ユーザが、従来のレコーダによってこのデータ担体上にデータを記録することを所望する場合、レコーダは、タイプ領域１１を読出しし、この領域は、第１の領域１２にはデータは書込みすることができないことを示す。従って、レコーダは、第２の領域１３のみにデータを書込みする。第１の領域１２の位置は、例えば、タイミング又はアドレス情報によって決定されることが可能である。例えば、第１の領域１２の位置は、タイプ領域１１内にトラック番号か又はプリグルーブにおけるアドレスによって識別される。
【００２０】
例えば、第１の領域１２の最初のトラックの番号と最後のトラックの番号が、タイプ領域１１の中に符号化される。第１の領域１２に関するタイプ情報は、タイプ領域１１上に、第１の領域１２の位置に関連付けられて、即ち、第１の領域１２を識別するトラック番号に関連付けられて記録される。タイプ情報は、例えば、そのタイプ情報に関連付けられる領域がＲＯＭとして決定されるか否かを示すビット又はビットセットであり得る。或いは、タイプ情報は、領域のタイプと同時にその領域の位置を有することが可能である。
【００２１】
第２の領域１３も、タイプ領域１１内に定義されてもよく、第２の領域１３がＲＷ領域であることを示すタイプ情報が、タイプ領域１１に記録され得る。しかし、データ担体の領域が、関連付けられるタイプ情報を有さないことも可能である。このような場合、そのような領域はＲＷ領域として識別される。
【００２２】
以下に、本発明のデータ担体の様々な実施例を示す。
【００２３】
第１の実施例では、タイプ領域１１は、ＷＯＲＭ材料を有する。製造業者は、例えば、第１の領域１２といったＲＷ材料を有するデータ担体の一部にデータを書込みする。次に、第１の領域１２の位置が符号化され、その符号化された位置に対応するピットとランドを形成するためにＷＯＲＭ材料を劣化することによって、タイプ領域１１内に記録される。第１の領域がＲＯＭであることを示すタイプ情報も、タイプ領域１１上に記録される。その結果、製造業者は、従来のレコーダによって第１の領域１２内にデータを記録することが可能である。実際に、データ担体上にデータを書込む前に、レコーダは、タイプ領域１１を読出しする。タイプ領域１１内にはタイプ情報は記録されていないので、データは、ＲＷ材料を有する記録担体の部分のどこにでも書込みされることが可能である。製造業者が第１の領域１２内にデータを一旦書込むと、レコーダを用いて、ＷＯＲＭタイプ領域１１内にタイプ情報が書込みされる。
【００２４】
第２の実施例では、タイプ領域１１は、タイプ領域１１内にピットとランドを形成するためにスタンパによってエンボス加工される。製造業者は、例えば、第１の領域１２といったＲＷ材料を有するデータ担体の一部にデータを書込みする。次に、第１の領域１２の位置の他にタイプ情報も符号化される。符号化位置及びタイプ情報に対応するピット及びランドを有するスタンパが作成される。この場合、このスタンパは、データ担体上に、データ担体上にＲＷ材料が堆積される前にプリントされるグループをプリントするために使用されるスタンパではない。データ担体は、タイプ領域１１内に第１の領域１２のタイプ情報を書込むためにこのピット及びランドを有するスタンパによってエンボス加工される。次に、反射性材料がタイプ領域１１上に堆積される。
【００２５】
尚、第１の領域１２の位置及びタイプ情報は、第１の領域１２内へのデータの書込みの前にタイプ領域１１内に書込みされてもよい。実際には、スタンパは、通常、データ担体上にトラッキングのために使用されるグループをプリントするために使用される。このスタンパは、タイプ領域１１内にピット及びランドをプリントするために使用されることが可能である。このピット及びランドは、第１の領域１２のタイプ情報を有する。次に、第１の領域１２上にデータを書込みするために、製造業者は、第１の領域１２がＲＯＭ領域として定義されるにもかかわらず製造業者によってこの第１の領域１２内にデータを書込むことが可能であるよう書込みの前にタイプ領域１１を読出ししない又はタイプ情報を考慮に入れない非従来型のレコーダを用いる。
【００２６】
第３の実施例では、タイプ情報は、周波数変調ウォブルによってデータ担体上に記録される。ＲＷデータ担体は、蛇行（ウォブル）したグルーブを有する。このグルーブは、トラッキングに使用される。例えば、ＲＷディスクでは、ディスクは、スパイラル状のグルーブを有する。このグルーブは完全なスパイラルではなく、タイミング情報といった情報を生成するために蛇行する。この情報は、読出し及び／又は記録機器によって取出しされることが可能である。蛇行するグルーブは、光ビームによって消去されることができない。何故なら、グルーブはデータ担体上にデータを書込むために必要だからである。この実施例では、ウォブルは、データ担体上に第１の領域１２のタイプ情報を記録するために使用される。例えば、追加情報が、ウォブル内のタイミング情報に追加される。この追加情報は、第１の領域１２のタイプ情報に対応する。更なる詳細は、ＣＤ−ＲＷ及びＢＤの例において以下に説明する。
【００２７】
タイプ情報は、タイプ領域１１の蛇行したグルーブ内に記録されることが可能である。この場合、ユーザが、従来のレコーダでデータ担体上にデータを書込むことを所望する場合、レコーダは最初にタイプ領域１１を読出しし、従って、第１の領域１２にはデータを書込むことができないことを知る。
【００２８】
タイプ情報は、第１の領域１２の蛇行したグルーブ内にも書込みされることが可能である。この場合、データ担体は、タイプ領域１１を有さない。この場合、ユーザが、従来のレコーダでデータ担体上にデータを書込むことを所望する場合、レコーダは、ＲＯＭ領域と定義されないディスクの領域を見つけるまで、データ担体を走査する。
【００２９】
タイプ情報は周波数変調されたウォブルによってデータ担体上に記録されるこの第３の実施例では、製造業者は、第１の領域１２にデータを書込むために非従来型のレコーダを使用する。このレコーダは、書込み前にタイプ情報を読出ししない、又は、タイプ情報を考慮に入れない。従って、データは、この第１の領域１２がＲＯＭ領域と定義されているにもかかわらず、製造業者によってこの第１の領域１２内に書込みされることが可能である。
【００３０】
本発明のＣＤ−ＲＷディスクを以下に説明する。上述したように、このＣＤ−ＲＷディスクは、蛇行したグルーブを有する。グルーブのウォブル周波数によって、ＣＤ−ＲＷディスクは、モータ制御情報を有し、また、ＡＴＩＰ（ＡＴＩＰは、Ａｂｓｏｌｕｔｅ  Ｔｉｍｅ  Ｉｎ  Ｐｒｅ−ｇｒｏｏｖｅを表す）によって、ＣＤ−ＲＷディスクは、時間コード情報を有する。ＣＤ−ＲＷディスクは、例えば、コンテンツのテーブルを有するリードイン領域と、ＲＷ材料を有するデータ領域を有する。図１では、リードイン領域は、タイプ領域１１によって表され、データ領域は、第１の領域１２及び第２の領域１３によって表される。リードイン領域では、ＡＴＩＰデータは、時間コード情報以外の情報を有することが可能である。従って、第１の領域１２のタイプ情報が、ＣＤ−ＲＷディスクのリードイン領域においてＡＴＩＰデータとして記録されることが可能である。このタイプ情報は、ＡＴＩＰ分、秒、及びフレームバイトで符号化され、分、秒、及びフレームバイトの最上位ビットの特別な組み合わせによって識別される。特に、組み合わせ０１１を使用することが可能であり、この組み合わせは、まだ使用されていない。第１の領域１２のタイプ情報がＡＴＩＰデータとして符号化されると、蛇行したグルーブが、データ担体上にプリントされる。
【００３１】
本発明のＢＤディスクを以下に説明する。このようなＢＤディスクは、リードインゾーンと、リライタブル材料を有するデータゾーンを有する。図１では、リードインゾーンは、タイプ領域１１によって表され、データゾーンは、第１の領域１２及び第２の領域１３によって表される。リードインゾーンは、蛇行したグルーブを有するリライタブルゾーンと、ＨＦＭウォブルグルーブ（ＨＦＭは、Ｈｉｇｈ  Ｆｒｅｑｕｅｎｃｙ  Ｍｏｄｕｌａｔｅｄを表す）を有する非リライタブルゾーンを有する。リードインゾーンの非リライタブルゾーンは、永久情報及び制御データ（以下ＰＩＣと称する）ゾーンを有する予め記録されたゾーンである。ＰＩＣゾーンには、ディスク情報といった様々な目的のためのデータが予め記録される。従って、第１の領域１２のタイプ情報は、ＢＤディスクのリードインゾーンにおけるＰＩＣデータとして記録されることが可能である。タイプ情報は、ＰＩＣデータとして符号化され、ＨＦＭウォブルグルーブは、データ担体上にプリントされる。
【００３２】
図１の例では、第１の領域１２は、中心孔１０の付近に位置付けられ、第２の領域１３はデータ担体の外側領域に位置付けられる。当然ながら、これらの位置は逆にされることも可能である。しかし、データ担体の内側領域に第１の領域１２を有し、データ担体の外側領域に第２の領域１３を有することは、特に有利である。実際に、光ディスクにおいて、ディスクの外側領域への書込みは、ディスクの内側領域への書込みに必要とするより遅いディスクの回転速度を必要とする。その結果、ユーザが、携帯可能装置で第２の領域内にデータを書込みしたい場合、必要とされるパワー量は、ディスクの内側領域に位置付けられる第２の領域よりもディスクの外側領域に位置付けられる第２の領域でのほうが少ない。その結果、このようなデータ担体は特に、移動式電話機又はコードレス電話機、パームトップコンピュータ、ラップトップ、デジタルカメラ、又はカムコーダといった携帯可能装置において使用するのに特に適応される。
【００３３】
本発明のデータ担体は、ＲＯＭ領域として定義される領域のみを有することが可能であることを示すことが重要である。これは、図１に示すデータ担体は、第２の領域１３ではなく第１の領域１２のみを有することが可能であるということを意味する。この場合、ユーザは、データ担体上にデータを書込むことはできない。
【００３４】
更に、本発明のデータ担体は、複数のデータ層を有することが可能であることを示すことが重要である。データ層の１つは、図１に示すようなタイプのデータ層、即ち、第２の領域１３といったＲＷ領域と、第１の領域１２といったＲＯＭ領域として定義されるＲＷ領域を有するデータ層であることが可能である。或いは、１つの層は、ＲＯＭ領域として定義される領域のみを有することが可能であり、一方、別の層は、ＲＯＭ領域として定義されないＲＷ領域を有することが可能である。
【００３５】
請求項における任意の参照符号は、請求項を制限するものと解釈すべきではない。「有する」という動詞及びその活用形の使用は、任意の請求項に記載される素子以外の素子の存在を排除するものではないことは明らかである。単数形で示す素子は、その素子が複数存在することを排除するものではない。
【図面の簡単な説明】
【００３６】
【図１】本発明のデータ担体を示す図である。
【図１】
2006520980.tif 000003
【国際調査報告】
2006520980.tif 000004
2006520980.tif 000005
2006520980.tif 000006